(57)【要約】      （修正有）【課題】監視システムとともに使用する表示器組立体を提供する。【解決手段】表示器組立体は、少なくとも放射の線量レベルを示す放射データを受け取るように構成された通信用インターフェース２０２を含む。そのうえ、表示器組立体は、通信用インターフェースに結合されたプロセッサ２１０も含み、プロセッサは、放射データを示す少なくとも１つの画像を生成するようにプログラムされる。表示器組立体は、プロセッサに結合された表示媒体２１８も含み、表示媒体は、ユーザに対してリアルタイムで画像を表示するように構成される。表示器組立体は、ユーザと一緒に移動可能であって、ユーザが所在地のまわりを移動しながら連続的に所在地の内部の放射を監視することができるように、ユーザに接して配置される。【選択図】図２
2012225918.tif 000002
【特許請求の範囲】
【請求項１】
監視システム（１００）とともに使用する表示器組立体（１１８）であって、
少なくとも放射の線量レベルを示す放射データを受け取るように構成された通信用インターフェース（２０２）と、
前記通信用インターフェースに結合され、前記放射データを示す少なくとも１つの画像を生成するようにプログラムされたプロセッサ（２１０）と、
前記プロセッサに結合され、ユーザに対して前記少なくとも１つの画像をリアルタイムで表示するように構成された表示媒体（２１８）とを備え、前記ユーザと一緒に移動可能であって、前記ユーザが所在地（１０８）のまわりを移動しながら連続的に前記所在地の内部の前記放射を監視することができるように、前記ユーザに接して配置される表示器組立体。
【請求項２】
前記表示媒体（２１８）が少なくとも１つのレンズ（２２４）を備える請求項１記載の表示器組立体（１１８）。
【請求項３】
前記表示媒体（２１８）が少なくとも１つの表示スクリーン（３２４）を備える請求項１記載の表示器組立体（１１８）。
【請求項４】
前記少なくとも１つの画像が、前記放射の線量レベル、前記放射の線量率、および所定の閾値に到達するまでの残り時間のうち少なくとも１つの図的表現を含む請求項１記載の表示器組立体（１１８）。
【請求項５】
前記放射の線量レベルおよび前記放射の線量率のうち少なくとも１つが所定の閾値を超過したとき、前記少なくとも１つの画像が、テキスト形式の警告を与える請求項１記載の表示器組立体（１１８）。
【請求項６】
前記テキスト形式の警告が時間間隔をおいて与えられる請求項５記載の表示器組立体（１１８）。
【請求項７】
前記プロセッサ（２１０）に結合された音声出力デバイス（２４８）であって、前記放射の前記線量レベルおよび前記放射の前記線量率のうち少なくとも１つが所定の閾値を超過したことに基づいて可聴信号を生成するように構成され、前記ユーザに対して前記可聴信号を伝送するように構成された音声出力デバイスをさらに備える請求項１記載の表示器組立体（１１８）。
【請求項８】
放射を検出し、前記放射の検出に基づいて放射データを示す少なくとも１つの信号を生成するように構成された少なくとも１つのセンサ（１１２）を備えるセンサ組立体（１０６）であって、前記放射データが、少なくとも前記放射の線量レベルを示すセンサ組立体と、
前記センサ組立体に通信結合された表示器組立体（１１８）であって、
前記放射データを受け取るように構成された通信用インターフェース（２０２）、
前記通信用インターフェースに結合され、前記放射データを示す少なくとも１つの画像を生成するようにプログラムされたプロセッサ（２１０）、および
前記プロセッサに結合され、ユーザに対して前記少なくとも１つの画像をリアルタイムで表示するように構成された表示媒体（２１８）を備え、前記ユーザと一緒に移動可能であって、前記ユーザが所在地（１０８）のまわりを移動しながら連続的に前記所在地の内部の前記放射を監視することができるように、前記ユーザに接して配置される表示器組立体とを備える監視システム（１００）。
【請求項９】
前記センサ組立体（１０６）が、前記ユーザと一緒に移動可能であるように前記ユーザに接して配置される請求項８記載の監視システム（１００）。
【請求項１０】
前記表示媒体（２１８）が、レンズ（２２４）および表示スクリーン（２２３）のうち少なくとも１つを備える請求項８記載の監視システム（１００）。
【発明の詳細な説明】
【技術分野】
【０００１】
本発明の分野は、一般に監視システムに関し、より具体的には、放射の監視に使用される監視システムに関する。
【背景技術】
【０００２】
原子力の発電所（ＮＧＳ）および発電装置など多くの産業設備では、環境および周囲の領域に放射が放出される可能性がある。より具体的には、動作中に、また特定の環境下では、原子力発電所が危険なレベルの放射を放出する可能性がある。例えば、ＮＧＳの少なくともいくつかの既知の配管システムには、放射性物質で汚染された流体が流れる可能性がある。したがって、このようなシステムの内部の放射の監視は必須である。
【０００３】
このような産業設備の内部の放射の存在を検出するために、線量計など、少なくともいくつかの既知の監視システムおよびデバイスが使用され得る。このような監視システムの少なくともいくつかは、放射の存在を検出するのに少なくとも１つのセンサを使用する。センサは、受け取った放射関連のデータを、ユーザが設備の内部の放射を監視するのを可能にする表示デバイスへ伝送する。しかし、ユーザがディスプレイデバイスを見に別の場所へ行く必要性があり得るので、このような監視システムは、必ずしもリアルタイムのデータを供給できない可能性がある。そのうえ、線量計などのデバイスは、ユーザによる使用が困難なことがある。例えば、ユーザは、重いかも知れない線量計を運搬しなければならないことがある。そのうえ、ユーザは、測定値を確かめるために、周期的に線量計を見なければならない。このようなデバイスは、放射の存在が所定の閾値を超過したときにクリック音および／または高速クリック音などの音を与える可聴警報を有してもよい。しかし、このようなデバイスは、実際の放射の線量レベルおよび／または線量率を告知することができない。そのうえ、ユーザは、このようなデバイスでは、ハンズフリーで設備内部の放射を監視することができず、また、このようなデバイスおよび／または監視システムでは、軽量で、携帯用の、所在地のまわりを運搬するのに好都合な放射能レベルの直接表示を得ることができない。
【先行技術文献】
【特許文献】
【０００４】
【特許文献１】米国特許第７８５２３５５号明細書
【発明の概要】
【０００５】
一実施形態では、監視システムとともに使用する表示器組立体が提供される。表示器組立体は、少なくとも放射の線量レベルを示す放射データを受け取るように構成された通信用インターフェースを含む。そのうえ、表示器組立体は、通信用インターフェースに結合されたプロセッサも含み、プロセッサは、放射データを示す少なくとも１つの画像を生成するようにプログラムされる。表示器組立体は、プロセッサに結合された表示媒体も含み、表示媒体は、ユーザに対してリアルタイムで画像を表示するように構成される。表示器組立体は、ユーザと一緒に移動可能であって、ユーザが所在地のまわりを移動しながら連続的に所在地の内部の放射を監視することができるように、ユーザに接して配置される。
【０００６】
別の実施形態では、監視システムが提供される。監視システムには、放射を検出し、放射の検出に基づいて放射データを示す少なくとも１つの信号を生成するように構成された少なくとも１つのセンサを含むセンサ組立体が含まれる。放射データは、放射の線量レベルを示す。そのうえ、監視システムは、センサ組立体に通信結合された表示器組立体を含む。表示器組立体は、放射データを受け取るように構成された通信用インターフェースを含む。そのうえ、表示器組立体は、通信用インターフェースに結合されたプロセッサも含み、プロセッサは、放射データを示す少なくとも１つの画像を生成するようにプログラムされる。表示器組立体は、プロセッサに結合された表示媒体も含み、表示媒体は、ユーザに対してリアルタイムで画像を表示するように構成される。表示器組立体は、ユーザと一緒に移動可能であって、ユーザが所在地のまわりを移動しながら連続的に所在地の内部の放射を監視することができるように、ユーザに接して配置される。
【０００７】
さらに別の実施形態では、放射を監視するのに使用される方法が提供される。この方法は、表示器組立体を、ユーザと一緒に移動可能であって、ユーザが所在地のまわりを移動しながら連続的に所在地の内部の放射を監視することができるように、ユーザに接して配置するステップを含む。少なくとも放射の線量レベルを示す放射データが受け取られる。次いで、放射データを示す少なくとも１つの画像が生成される。画像は、表示媒体によって、ユーザにリアルタイムで表示される。
【図面の簡単な説明】
【０００８】
【図１】例示的監視システムのブロック図である。
【図２】図１に示された監視システムとともに使用され得る例示的表示器組立体の概略斜視図である。
【図３】図１に示された監視システムとともに使用され得る例示的表示器組立体の代替実施形態のブロック図である。
【図４】図２に示された表示器組立体を使用して放射を監視するのに使用される例示的方法の流れ図である。
【発明を実施するための形態】
【０００９】
本明細書に説明される例示的方法およびシステムは、工業用設備の内部の放射を監視するのに使用される既知のシステムに関連した少なくともいくつかの既知の不利益を克服する。具体的には、本明細書に説明される実施形態は、表示器組立体を含む監視システムを提供する。表示器組立体は、少なくとも放射の線量レベルを示す放射データを受け取るように構成された通信用インターフェースを含む。そのうえ、表示器組立体は、通信用インターフェースに結合されたプロセッサも含み、プロセッサは、放射データを示す少なくとも１つの画像を生成するようにプログラムされる。表示器組立体は、プロセッサに結合された表示媒体も含み、表示媒体は、ユーザに対してリアルタイムで画像を表示するように構成される。表示器組立体は、ユーザと一緒に移動可能であって、ユーザが所在地のまわりを移動しながら連続的に所在地の内部の放射を監視することができるように、ユーザに接して配置される。そのため、本明細書に開示される監視システムによって、ユーザは、ハンズフリーで放射を監視することができ、かつ／または、軽量で、設備のまわりを運搬するのに便利な手持ち式のセンサによって直接表示を得ることができる。
【００１０】
図１は、原子力発電所（ＮＧＳ）および／または発電装置などの工業用設備（図示せず）の所在地（図示せず）内で、ユーザ（図示せず）が放射を監視するのを可能にするために使用され得る例示的監視システム１００を示す。より具体的には、例示的実施形態では、ユーザは、監視システム１００によって放射を監視することができる。この例示的実施形態では、監視システム１００は、ＮＧＳの内部の配管システム１０２から放出される、例えば中性子、ガンマ線、Ｘ線、ならびにアルファ粒子およびベータ粒子などの電離性電磁放射線を監視する。この例示的実施形態は、工業用設備で使用される監視システムを説明しているが、本発明は、工業用設備に限定されるものではなく、当業者なら、本発明が、放射を含む可能性のあるあらゆる設備に関連して使用され得ることを理解するであろう。
【００１１】
この例示的実施形態では、監視システム１００は、配管システム１０２から距離１０８だけ離れたセンサ組立体１０６を含む。センサ組立体１０６は、少なくとも１つのトランスデューサまたはセンサの１１２を含む。より具体的には、この例示的実施形態では、センサ組立体１０６には、それぞれが距離１０８以内の放射および／または少なくとも１つの放射性構成要素（図示せず）の存在を検出する複数のセンサ１１２が含まれる。より具体的には、この例示的実施形態では、各センサ１１２が、特定のタイプの放射を検出し、かつ放射の線量レベルおよび／または線量率を検出する。あるいは、センサ１１２は、センサ組立体１０６および／または監視システム１００が本明細書に説明されるように機能することを可能にする放射または放射能の様々な他のパラメータを検出するように構成されてよい。この例示的実施形態では、放射の線量レベルはシーベルト（Ｓｖ）の単位で検出して示され、放射の線量率は時間当りのミリシーベルト（ｍＳｖ／ｈｒ）で示される。あるいは、当技術分野で既知のその他の単位も用いられ得る。
【００１２】
この例示的実施形態では、センサ組立体１０６は、監視システム１００の少なくとも１つの他の構成要素との通信を可能にするセンサ通信用インターフェース１１６も含む。より具体的には、監視システム１００は表示器組立体１１８を含み、通信用インターフェース１１６は、ネットワーク１２２を介して表示器組立体１１８に結合される。本明細書に用いられる用語「結合する」は、直接の機械的な連絡および／または構成要素間の電気的接続に限定されず、間接の機械的な連絡および／または複数の構成要素間の電気的接続も含み得ることに留意されたい。
【００１３】
この例示的実施形態では、センサ組立体１０６は、例えばＦＭラジオおよび／またはデジタル音声放送といった無線周波数（ＲＦ）、米国電気電子技術者協会（ＩＥＥＥ（登録商標））８０２．１１規格（例えば８０２．１１（ｇ）または８０２．１１（ｎ））、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（ＷＩＭＡＸ（登録商標））規格、携帯電話技術（例えば汎ヨーロッパデジタル移動通信システム（Ｇｌｏｂａｌ  Ｓｔａｎｄａｒｄ  ｆｏｒ  Ｍｏｂｉｌｅ  ｃｏｍｍｕｎｉｃａｔｉｏｎ）（ＧＳＭ（登録商標））、衛星通信リンク、および／またはその他の適切な通信手段などの無線通信手段を用いて、表示器組立体１１８と通信する。ＷＩＭＡＸは、オレゴン州ビーバートンのＷｉＭａｘフォーラムの登録商標である。ＩＥＥＥは、ニューヨーク州ニューヨークの米国電気電子技術者協会の登録商標である。あるいは、センサ組立体１０６は、配線式ネットワーク接続（例えばイーサネット（登録商標）または光ファイバ）を用いて、表示器組立体１１８と通信することができる。
【００１４】
この例示的実施形態では、センサ組立体１０６は、通信用インターフェース１１６によって表示器組立体１１８と通信することができる。より具体的には、この例示的実施形態では、通信用インターフェース１１６は各センサ１１２から情報を受け取る。この例示的実施形態では、通信用インターフェース１１６は、検出された放射の線量レベルおよび／または線量率を示す放射データを受け取る。そのうえ、通信用インターフェース１１６は、各センサ１１２から受け取った情報に基づいて、放射データを示す信号を表示器組立体１１８へ伝送する。
【００１５】
そのうえ、この例示的実施形態では、表示器組立体１１８は、放射データを受け取って、ユーザに対して放射データを少なくとも１つの画像の形式で表示する。この例示的実施形態では、表示器組立体１１８は、ユーザと一緒に移動可能であって、ユーザが、距離１０８などの所在地のまわりを移動しながら連続的に所在地の内部の放射を監視することができるように、ユーザの身体に接してなど、ユーザに接して配置される。例えば、ユーザは、表示器組立体１１８を着用するかまたは保持してよい。
【００１６】
同様に、この例示的実施形態では、センサ組立体１０６も、ユーザの身体に接してなど、ユーザに接して配置される。例えば、ユーザは、センサ組立体１０６を着用するかまたは保持してよい。あるいは、センサ組立体１０６は、ユーザの身体に接して配置されるのでなく、工業用の設備内のどこかに配置されてもよい。
【００１７】
この例示的実施形態では、動作中に、ユーザが配管システム１０２に近づいて距離１０８以内にいるとき、何らかの放射が配管システム１０２から放出されていれば、このような放射は検出されるはずである。各センサ１１２は、特定のタイプの放射を検出して、検出された放射の線量率および／または線量レベルを検出することにより、放射の存在を検出する。放射データは、通信用インターフェース１１６へ伝送される。次いで、放射データは、表示器組立体１１８に伝送され、次いで、少なくとも１つの画像によってユーザに対して連続的に表示される。より具体的には、この例示的実施形態では、表示器組立体１１８およびセンサ組立体１０６がユーザに接して配置されているので、表示器組立体１１８が受け取る放射データは、ユーザの位置に基づいて変化する可能性がある。
【００１８】
図２は、監視システム１００（図１に示される）とともに使用され得る例示的表示器組立体１１８の概略図である。この例示的実施形態では、表示器組立体１１８は、ユーザの身体（図示せず）に接するようになど、ユーザ（図示せず）に接するように着用される。より具体的には、表示器組立体１１８は、工業環境で通常着用される安全ガラスなどのユーザが着用する眼鏡の中に組み込まれる。あるいは、表示器組立体１１８は、ユーザに接して配置されて、表示器組立体１１８および／または監視システム１００が本明細書で説明されるように機能することができるような任意の形態でよい。
【００１９】
そのうえ、この例示的実施形態では、表示器組立体１１８は、表示器組立体１１８に電力を供給するバッテリー２０１を含む。この例示的実施形態では、バッテリー２０１は再充電可能なリチウムイオン電池２０１である。あるいは、バッテリー２０１は、他のリチウムベースのバッテリーまたは表示器組立体１１８が本明細書に説明されるように機能するのを可能にするその他のタイプのバッテリーでもよい。
【００２０】
表示器組立体１１８は、センサ組立体１０６（図１に示される）から放射データを受け取る通信用インターフェース２０２を含む。より具体的には、センサ通信用インターフェース１１６（図１に示される）は、ネットワーク１２２（図１に示される）を介して通信用インターフェース２０２に結合されている。この例示的実施形態では、通信用インターフェース１１６は、各センサ１１２（図１に示される）から受け取った放射データを表す信号を通信用インターフェース２０２へ伝送する。そのうえ、この例示的実施形態では、通信用インターフェース２０２は、例えば無線通信に使用され得るアンテナなどのアンテナである。あるいは、通信用インターフェース２０２は、表示器組立体１１８および／または監視システム１００が本明細書に説明されるように機能するのを可能にするその他のタイプの通信モジュールでもよい。
【００２１】
この例示的実施形態では、表示器組立体１１８は、通信用インターフェース２０２に通信結合された受信器２０６も含む。より具体的には、この例示的実施形態では、受信器２０６は、通信用インターフェース２０２から無線データ接続を介して放射データを受け取る無線受信器である。そのうえ、受信器２０６は、システムバス（図示せず）を介して通信用インターフェース２０２および受信器２０６に結合されたプロセッサ２１０に放射データを伝送する。プロセッサ２１０は、システムバスを介してメモリデバイス２１４にも結合されている。
【００２２】
いくつかの実施形態では、実行可能な命令がメモリデバイス２１４に記憶されている。そのうえ、表示器組立体１１８は、プロセッサ２１０をプログラムすることにより、本明細書に説明された１つまたは複数の動作を遂行するようにプログラム可能である。例えば、プロセッサ２１０は、動作を１つまたは複数の実行可能な命令として符号化して、メモリデバイス２１４に実行可能な命令を与えることによりプログラムされ得る。プロセッサ２１０は、（例えばマルチコア構成の）１つまたは複数の処理ユニットを含むことができる。この例示的実施形態では、プロセッサ２１０は、センサ組立体１０６から受け取り続ける放射データに基づいて少なくとも１つの画像を連続的に生成するようにプログラムされる。より具体的には、この例示的実施形態では、プロセッサ２１０は、検出された放射の線量レベルおよび／または線量率の図的表現を含む画像を生成するようにプログラムされる。そのうえ、この例示的実施形態では、プロセッサ２１０は、線量レベルおよび／または線量率が所定の閾値に到達するまでの残り時間を含む画像を生成するようにプログラムされる。プロセッサ２１０は、線量レベルおよび／または線量率が所定の閾値を超過したとき、テキスト形式の警告を含む画像を生成するようにもプログラムされる。より具体的には、この例示的実施形態では、テキスト形式の警告は、放射の線量レベルおよび／または線量率が所定の閾値を超過するのに先立って与えられる。そのうえ、プロセッサ２１０は、テキスト形式の警告が、ユーザに対して表示されたとき一連の時間間隔で点滅するように、時間間隔をおいて（すなわち１０分ごとに）テキスト形式の警告を与えるようにプログラムされる。あるいは、プロセッサ２１０は、表示器組立体１１８および／または監視システム１００が本明細書に説明されるように機能することを可能にする何らかの他の（１つまたは複数の）画像を生成するようにプログラムされてもよい。そのうえ、この例示的実施形態では、プロセッサ２１０は、放射の線量レベルおよび／または線量率が所定の閾値を超過するのに基づいて、音声出力を生成するようにプログラムされる。
【００２３】
本明細書で用いられる用語「プロセッサ」は、一般に、システムおよびマイクロコントローラ、縮小命令型回路（ＲＩＳＣ）、特定用途向け集積回路（ＡＳＩＣ）、プログラム可能論理回路（ＰＬＣ）、および本明細書に記述された機能を実行することができるその他の回路またはプロセッサを含むあらゆるプログラム可能システムを含む。上記の実例は単なる例示であり、したがって、用語「プロセッサ」の定義および／または意味を限定するようには少しも意図されていない。
【００２４】
そのうえ、プロセッサ２１０は、汎用中央処理装置（ＣＰＵ）、グラフィック処理装置（ＧＰＵ）、マイクロコントローラ、縮小命令型コンピュータ（ＲＩＳＣ）プロセッサ、特定用途向け集積回路（ＡＳＩＣ）、プログラマブルロジック回路（ＰＬＣ）、および／または本明細書で説明された機能を実行することができるその他の回路またはプロセッサを含み得るが、これらに限定されない。本明細書で説明される方法は、限定することなく記憶装置デバイスおよび／またはメモリデバイスを含むコンピュータ読取り可能媒体で実施される実行可能な命令として符号化され得る。プロセッサ２１０は、このような命令を実行するとき、本明細書で説明される方法の少なくとも一部分を遂行する。上記の実例は単なる例示であり、したがって、用語プロセッサの定義および／または意味を限定するようには少しも意図されていない。
【００２５】
メモリデバイス２１４により、実行可能な命令および／または他のデータなどの情報の記憶および検索が可能になる。メモリデバイス２１４は、ダイナミックランダムアクセスメモリ（ＤＲＡＭ）、スタティックランダムアクセスメモリ（ＳＲＡＭ）、固体ディスク、および／またはハードディスクなどの、これらに限定されない１つまたは複数のコンピュータ読取り可能媒体を含んでよい。メモリデバイス２１４は、実行可能な命令、コンフィギュレーションデータ、地理的データ（例えば地勢データおよび／または障害物）、発電ネットワーク設備のデータ、および／またはその他のタイプのデータをこれらに限定されることなく記憶するように構成されてよい。
【００２６】
この例示的実施形態では、メモリデバイス２１４は、センサ組立体１０６から受け取った放射データおよびプロセッサ２１０によって生成された画像を記憶する。そのうえ、この例示的実施形態では、メモリデバイス２１４は、不揮発性ＲＡＭ（ＮＶＲＡＭ）、磁気ＲＡＭ（ＭＲＡＭ）、強誘電メモリ（ＦｅＲＡＭ）および他の形式のメモリを含み得るランダムアクセスメモリ（ＲＡＭ）を含むことができる。メモリデバイス２１４は、読出し専用メモリ（ＲＯＭ）、フラッシュメモリおよび／または、電気的消去可能プログラマブル読出し専用メモリ（ＥＥＰＲＯＭ）も含むことができる。その他の適切な磁気メモリ、光メモリおよび／または半導体メモリが、それ自体で、または他の形式のメモリと組み合わせて、メモリデバイス２１４に含まれ得る。また、メモリデバイス２１４は、適切なカートリッジ、ディスク、ＣＤ  ＲＯＭ、ＤＶＤまたはＵＳＢメモリを含むがこれらに限定されない分離可能または取外し可能なメモリであるか、または同メモリを含むことができる。あるいは、メモリデバイス２１４はデータベースでもよい。用語「データベース」は、一般に、階層型データベース、リレーショナルデータベース、フラットファイルデータベース、オブジェクト指向型リレーショナルデータベース、オブジェクト指向型データベース、およびコンピュータシステムに記憶されたその他のレコードまたはデータの構造化された集合を含む、何らかのデータの集合を指す。上記の実例は単なる例示であり、したがって、用語データベースの定義および／または意味を限定するようには少しも意図されていない。データベースの実例には、Ｏｒａｃｌｅ（登録商標）Ｄａｔａｂａｓｅ、ＭｙＳＱＬ、ＩＢＭ（登録商標）ＤＢ２、Ｍｉｃｒｏｓｏｆｔ（登録商標）ＳＱＬ  Ｓｅｒｖｅｒ、Ｓｙｂａｓｅ（登録商標）、およびＰｏｓｔｇｒｅＳＱＬが含まれるが、これらだけに限定されるわけではない。しかし、本明細書に説明されるシステムおよび方法を可能にするあらゆるデータベースが用いられ得る。（Ｏｒａｃｌｅは、カリフォルニア州レッドウッドショアズのＯｒａｃｌｅ社の登録商標であり、ＩＢＭは、ニューヨーク州アーモンクのＩｎｔｅｒｎａｔｉｏｎａｌ  Ｂｕｓｉｎｅｓｓ  Ｍａｃｈｉｎｅｓ  Ｃｏｒｐｏｒａｔｉｏｎ社の登録商標であり、Ｍｉｃｒｏｓｏｆｔは、ワシントン州レドモンドのＭｉｃｒｏｓｏｆｔ社の登録商標であり、Ｓｙｂａｓｅは、カリフォルニア州ダブリンのＳｙｂａｓｅ社の登録商標である。）
表示媒体２１８および表示アダプタ２２０も、システムバスを介してプロセッサ２１０に結合される。この例示的実施形態では、表示媒体２１８は、少なくとも１つのレンズ２２４の内部に少なくとも１つのスクリーン２２３を含む。より具体的には、この例示的実施形態では、表示媒体２１８は２つのレンズ２２４を含み、各レンズ２２４が内部に１つのスクリーン２２３を有する。この例示的実施形態では、レンズ２２４は偏光レンズである。あるいは、レンズ２２４は、表示媒体２１８が本明細書に説明されるように機能することを可能にするあらゆるタイプのレンズでよい。そのうえ、この例示的実施形態では、表示媒体２１８は、プロセッサ２１０によって生成された画像をユーザに表示する。より具体的には、この例示的実施形態では、表示媒体２１８は、ブラウン管（ＣＲＴ）、液晶表示器（ＬＣＤ）、有機ＬＥＤ（ＯＬＥＤ）表示器、および／または「電子インク」表示器などの表示装置を含む。そのため、この例示的実施形態では、ユーザは、レンズ２２４の内部のスクリーン２２３のうち少なくとも１つで画像を見ることができる。
【００２７】
この例示的実施形態では、表示器組立体１１８は、システムバスを介してプロセッサ２１０に結合されたユーザインターフェース２３０も含む。ユーザインターフェース２３０は、本明細書で説明される方法とともに用いるのに適切な任意の情報を受け取る。より具体的には、この例示的実施形態では、ユーザは、表示媒体２１８上に表示される、ユーザが望む様々な画像を入力することができ、可聴信号によって情報を受け取りたいかどうかということを入力することができる。そのうえ、ユーザは、テキスト形式の警告を受け取りたい時間間隔を入力することができる。さらに、この例示的実施形態では、ユーザインターフェース２３０はタッチパネル２３４を含む。あるいは、ユーザは、例えばキーボード、ポインティングデバイス、マウス、スタイラス、タッチパッド、タッチスクリーン、ジャイロスコープ、加速度計、位置検出器を含むことができる。表示器組立体１１８は、システムバスを介してプロセッサに結合された音声入力インターフェース２４０も含む。この例示的実施形態では、音声入力インターフェース２４０は、ユーザがサードパーティーと通信するのを可能にするためのマイクロホン２４４を含む。
【００２８】
そのうえ、この例示的実施形態では、表示器組立体１１８は、システムバスを介してプロセッサ２１０に結合された音声出力デバイス２４８を含む。この例示的実施形態では、音声出力デバイス２４８は、オーディオアダプタおよび／またはスピーカである。あるいは、音声出力デバイス２４８は、表示器組立体１１８および／または監視システム１００が本明細書に説明されるように機能するのを可能にするあらゆるタイプのデバイスでよい。この例示的実施形態では、音声出力デバイス２４８は、放射の線量レベルおよび／または線量率が所定の閾値を超過したとき、プロセッサ２１０から出力を受け取り、受け取った出力に基づいて可聴信号を生成するように構成される。より具体的には、音声出力デバイス２４８は、放射の線量レベルおよび／または線量率が所定の閾値を超過したことに基づいて可聴信号を生成するように構成される。音声出力デバイス２４８は、ユーザに可聴信号を伝送するように構成される。この例示的実施形態では、可聴信号は、実際の放射の線量レベル、線量率、および／または警告を知らせる可聴警報である。あるいは、可聴信号は、表示器組立体１１８および／または監視システム１００が本明細書に説明されるように機能するのを可能にするあらゆるタイプの可聴信号でよい。
【００２９】
この例示的実施形態では、表示器組立体１１８を着用しているユーザが、動作中に配管システム１０２（図１に示される）に近づくと、配管システム１０２から放射が放出されれば、距離１０８（図１に示される）内で放射が検出されることになる。各センサ１１２（図１に示される）が、特定のタイプの放射を検出することにより、また放射の線量レベルを検出することにより、放射の存在を検出する。この放射データは、通信用インターフェース１１６へ伝送される。
【００３０】
そのうえ、この例示的実施形態では、放射データが表示器組立体１１８に伝送される。より具体的には、放射データは、通信用インターフェース２０２によって受け取られる。通信用インターフェース２０２が受信器２０６に放射データを伝送し、受信器２０６は、放射データが記憶され得るように、データをプロセッサ２１０およびメモリデバイス２１４へ伝送する。プロセッサ２１０は、通信用インターフェース２０２が継続的に受け取る放射データに基づいて、複数の画像を連続的に生成する。より具体的には、プロセッサ２１０は、検出された放射の線量レベルおよび／または線量率ならびに線量レベルおよび／または線量率の所定の閾値に到達するまでの残り時間の図的表現を含む画像を生成する。線量レベルおよび／または線量率が、プロセッサ２１０にプログラムされた所定の閾値を超過すると、プロセッサ２１０は、テキスト形式の警告を含む画像を生成する。
【００３１】
表示媒体２１８は、ユーザによるユーザインターフェース２３０への入力に基づいて、ユーザに対して連続的に情報を表示する。より具体的には、ユーザは、情報を視覚的出力および／または音声出力で示すかどうか入力することができる。ユーザが情報を視覚的出力によって受け取ることを選択すると、プロセッサ２１０は、表示媒体２１８に複数の画像を連続的に伝送する。次いで、ユーザは、工業用設備内部の放射の様々なパラメータを視覚的に確認することができる。より具体的には、ユーザは、検出された放射の線量レベルおよび／または線量率ならびに線量レベルおよび／または線量率の所定の閾値に到達するまでの残り時間の図的表現を含む画像を与えられることになる。そのうえ、線量レベルおよび／または線量率が所定の閾値を超過すると、ユーザは、テキスト形式の警告を含む画像を見ることになる。ユーザが工業用設備内部のある位置のまわりを移動する間、パラメータのそれぞれが変化するので、これらの画像は変化し続けることになる。
【００３２】
ユーザが音声出力によってさらなる情報を受け取ることを選択すると、放射の線量レベルおよび／または線量率が所定の閾値を超過したとき、プロセッサ２１０は音声出力デバイス２４８に音声出力を伝送する。音声出力デバイス２４８は、受け取った出力に基づいて可聴信号を生成する。より具体的には、音声出力デバイス２４８は、放射の線量レベルおよび／または線量率が所定の閾値を超過したことに基づいて可聴信号を生成する。次いで、音声出力デバイス２４８は、ユーザに可聴信号を伝送する。
【００３３】
図３は、表示器組立体１１８（図１および２に示される）ではなく監視システム１００（図１に示される）とともに使用され得る代替の表示器組立体３００を示す。この例示的実施形態では、表示器組立体３００は、ユーザが手に持つかまたは保持するように、ユーザの身体など、ユーザに接して配置される。より具体的には、表示器組立体３００は、スマートフォンなどの手持ち式コンピュータデバイスの実施形態の中にある。あるいは、表示器組立体３００は、ユーザに接して配置されて、表示器組立体３００および／または監視システム１００が本明細書で説明されるように機能することができるような任意の形態でよい。
【００３４】
そのうえ、この例示的実施形態では、表示器組立体３００は、表示器組立体３００に電力を供給するためのバッテリー３０１を含む。この例示的実施形態では、バッテリー３０１は、再充電可能なリチウムイオン電池３０１である。あるいは、バッテリー３０１は、他のリチウムベースのバッテリーまたは表示器組立体３００および／または監視システムが本明細書に説明されるように機能するのを可能にするその他のタイプのバッテリーでもよい。
【００３５】
表示器組立体３００は、センサ組立体１０６（図１に示される）から放射データを受け取る通信用インターフェース３０２を含む。より具体的には、センサ通信用インターフェース１１６（図１に示される）は、ネットワーク１２２（図１に示される）を介して通信用インターフェース３０２に結合されている。この例示的実施形態では、通信用インターフェース１１６は、各センサ１１２（図１に示される）から受け取った放射データを表す信号を通信用インターフェース３０２へ伝送する。そのうえ、この例示的実施形態では、通信用インターフェース３０２は、ＢＬＵＥＴＯＯＴＨ（登録商標）などの短距離無線通信チャンネルである。ＢＬＵＥＴＯＯＴＨ（登録商標）は、ワシントン州カークランドのＢｌｕｅｔｏｏｔｈ（登録商標）ＳＩＧ社の登録商標である。あるいは、通信用インターフェース３０２は、表示器組立体３００および／または監視システム１００が本明細書に説明されるように機能するのを可能にするその他のタイプの通信モジュールでもよい。
【００３６】
この例示的実施形態では、表示器組立体３００は、通信用インターフェース３０２に通信結合された受信器３０６も含む。より具体的には、この例示的実施形態では、受信器３０６は、通信用インターフェース３０２から無線データ接続（図示せず）を介して放射データを受け取る無線受信器である。そのうえ、受信器３０６は、システムバス（図示せず）を介して通信用インターフェース３０２および受信器３０６に結合されたプロセッサ３１０に放射データを伝送する。プロセッサ３１０は、システムバスを介してメモリデバイス３１４にも結合されている。
【００３７】
いくつかの実施形態では、実行可能な命令がメモリデバイス３１４に記憶されている。そのうえ、表示器組立体３００は、プロセッサ３１０をプログラムすることにより、本明細書に説明された１つまたは複数の動作を遂行するようにプログラム可能である。例えば、プロセッサ３１０は、動作を１つまたは複数の実行可能な命令として符号化して、メモリデバイス３１４に実行可能な命令を与えることによりプログラムされ得る。プロセッサ３１０は、（例えばマルチコア構成の）１つまたは複数の処理ユニットを含むことができる。この例示的実施形態では、プロセッサ３１０は、センサ組立体１０６から受け取り続ける放射データに基づいて少なくとも１つの画像を連続的に生成するようにプログラムされる。より具体的には、この例示的実施形態では、プロセッサ３１０は、検出された放射の線量レベルおよび／または線量率の図的表現を含む画像を生成するようにプログラムされる。そのうえ、この例示的実施形態では、プロセッサ３１０は、線量レベルおよび／または線量率が所定の閾値に到達するまでの残り時間を含む画像を生成するようにプログラムされる。プロセッサ３１０は、線量レベルおよび／または線量率が所定の閾値を超過したとき、テキスト形式の警告を含む画像を生成するようにもプログラムされる。より具体的には、この例示的実施形態では、テキスト形式の警告は、放射の線量レベルおよび／または線量率が所定の閾値を超過するのに先立って与えられる。そのうえ、プロセッサ３１０は、テキスト形式の警告が、ユーザに対して表示されたとき一連の時間間隔で点滅するように、時間間隔をおいて（すなわち１０分ごとに）テキスト形式の警告を与えるようにプログラムされる。あるいは、プロセッサ３１０は、表示器組立体３００および／または監視システム１００が本明細書に説明されるように機能することを可能にする何らかの他の（１つまたは複数の）画像を生成するようにプログラムされてもよい。そのうえ、この例示的実施形態では、プロセッサ３１０は、放射の線量レベルが所定の閾値を超過するのに基づいて、音声出力を生成するようにプログラムされる。
【００３８】
そのうえ、プロセッサ３１０は、汎用中央処理装置（ＣＰＵ）、グラフィック処理装置（ＧＰＵ）、マイクロコントローラ、縮小命令型コンピュータ（ＲＩＳＣ）プロセッサ、特定用途向け集積回路（ＡＳＩＣ）、プログラマブルロジック回路（ＰＬＣ）、および／または本明細書で説明された機能を実行することができるその他の回路またはプロセッサを含み得るが、これらに限定されない。本明細書で説明される方法は、限定することなく記憶装置デバイスおよび／またはメモリデバイスを含むコンピュータ読取り可能媒体で実施される実行可能な命令として符号化され得る。プロセッサ３１０は、このような命令を実行するとき、本明細書で説明される方法の少なくとも一部分を遂行する。上記の実例は単なる例示であり、したがって、用語プロセッサの定義および／または意味を限定するようには少しも意図されていない。
【００３９】
メモリデバイス３１４により、実行可能な命令および／または他のデータなどの情報の記憶および検索が可能になる。メモリデバイス３１４は、ダイナミックランダムアクセスメモリ（ＤＲＡＭ）、スタティックランダムアクセスメモリ（ＳＲＡＭ）、固体ディスク、および／またはハードディスクなどの、これらに限定されない１つまたは複数のコンピュータ読取り可能媒体を含んでよい。メモリデバイス３１４は、実行可能な命令、コンフィギュレーションデータ、地理的データ（例えば地勢データおよび／または障害物）、発電ネットワーク設備のデータ、および／またはその他のタイプのデータをこれらに限定されることなく記憶するように構成されてよい。
【００４０】
この例示的実施形態では、メモリデバイス３１４は、センサ組立体１０６から受け取った放射データおよびプロセッサ３１０によって生成された画像を記憶する。そのうえ、この例示的実施形態では、メモリデバイス３１４は、不揮発性ＲＡＭ（ＮＶＲＡＭ）、磁気ＲＡＭ（ＭＲＡＭ）、強誘電メモリ（ＦｅＲＡＭ）および他の形式のメモリを含み得るランダムアクセスメモリ（ＲＡＭ）を含むことができる。メモリデバイス３１４は、読出し専用メモリ（ＲＯＭ）、フラッシュメモリおよび／または、電気的消去可能プログラマブル読出し専用メモリ（ＥＥＰＲＯＭ）も含むことができる。その他の適切な磁気メモリ、光メモリおよび／または半導体メモリが、それ自体で、または他の形式のメモリと組み合わせて、メモリデバイス３１４に含まれ得る。また、メモリデバイス３１４は、適切なカートリッジ、ディスク、ＣＤ  ＲＯＭ、ＤＶＤまたはＵＳＢメモリを含むがこれらに限定されない分離可能または取外し可能なメモリであるか、または同メモリを含むことができる。あるいは、メモリデバイス３１４はデータベースでもよい。用語「データベース」は、一般に、階層型データベース、リレーショナルデータベース、フラットファイルデータベース、オブジェクトリレーショナルデータベース、オブジェクト指向型データベース、およびコンピュータシステムに記憶されたその他のレコードまたはデータの構造化された集合を含む、何らかのデータの集合を指す。上記の実例は単なる例示であり、したがって、用語データベースの定義および／または意味を限定するようには少しも意図されていない。データベースの実例には、Ｏｒａｃｌｅ（登録商標）Ｄａｔａｂａｓｅ、ＭｙＳＱＬ、ＩＢＭ（登録商標）ＤＢ２、Ｍｉｃｒｏｓｏｆｔ（登録商標）ＳＱＬ  Ｓｅｒｖｅｒ、Ｓｙｂａｓｅ（登録商標）、およびＰｏｓｔｇｒｅＳＱＬが含まれるが、これらだけに限定されるわけではない。しかし、本明細書に説明されるシステムおよび方法を可能にするあらゆるデータベースが用いられ得る。（Ｏｒａｃｌｅは、カリフォルニア州レッドウッドショアズのＯｒａｃｌｅ社の登録商標であり、ＩＢＭは、ニューヨーク州アーモンクのＩｎｔｅｒｎａｔｉｏｎａｌ  Ｂｕｓｉｎｅｓｓ  Ｍａｃｈｉｎｅｓ  Ｃｏｒｐｏｒａｔｉｏｎ社の登録商標であり、Ｍｉｃｒｏｓｏｆｔは、ワシントン州レドモンドのＭｉｃｒｏｓｏｆｔ社の登録商標であり、Ｓｙｂａｓｅは、カリフォルニア州ダブリンのＳｙｂａｓｅ社の登録商標である。）
表示媒体３１８および表示アダプタ３２０も、システムバスを介してプロセッサ３１０に結合される。この例示的実施形態では、表示媒体３１８は、表示スクリーン３２４を含む。そのうえ、この例示的実施形態では、表示媒体３１８は、プロセッサ３１０によって生成された画像をユーザに表示する。より具体的には、この例示的実施形態では、表示媒体３１８は、ブラウン管（ＣＲＴ）、液晶表示器（ＬＣＤ）、有機ＬＥＤ（ＯＬＥＤ）表示器、および／または「電子インク」表示器などの表示装置を含む。そのため、この例示的実施形態では、ユーザは、スクリーン３２４上の画像を見ることができる。
【００４１】
この例示的実施形態では、表示器組立体３００は、システムバスを介してプロセッサ３１０に結合されたユーザインターフェース３３０も含む。ユーザインターフェース３３０は、本明細書で説明される方法とともに用いるのに適切な任意の情報を受け取る。より具体的には、この例示的実施形態では、ユーザは、表示媒体３１８上に表示される、ユーザが望む様々な画像を入力することができ、可聴信号を望むかどうかということも入力することができる。そのうえ、ユーザは、テキスト形式の警告を受け取りたい時間間隔を入力することができる。そのうえ、この例示的実施形態では、ユーザインターフェース３３０はキーボード３３４を含む。あるいは、ユーザは、例えばポインティングデバイス、マウス、スタイラス、タッチパッド、タッチスクリーン、ジャイロスコープ、加速度計、位置検出器を含むことができる。表示器組立体３００は、システムバスを介してプロセッサに結合された音声入力インターフェース３４０も含む。この例示的実施形態では、音声入力インターフェース３４０は、ユーザがサードパーティーと通信するのを可能にするためのマイクロホン３４４を含む。
【００４２】
そのうえ、この例示的実施形態では、表示器組立体３００は、システムバスを介してプロセッサ３１０に結合された音声出力デバイス３４８を含む。この例示的実施形態では、音声出力デバイス３４８は、オーディオアダプタおよび／またはスピーカである。あるいは、音声出力デバイス３４８は、表示器組立体３００および／または監視システム１００が本明細書に説明されるように機能するのを可能にするあらゆるタイプのデバイスでよい。この例示的実施形態では、音声出力デバイス３４８は、線量レベルが所定の閾値を超過したときにプロセッサ３１０から出力を受け取るように構成される。音声出力デバイス３４８は、受け取った出力に基づいて可聴信号を生成するように構成される。より具体的には、音声出力デバイス３４８は、放射の線量レベルが所定の閾値を超過したことに基づいて可聴信号を生成するように構成される。音声出力デバイス３４８は、ユーザに可聴信号を伝送するように構成される。この例示的実施形態では、可聴信号は、実際の放射の線量レベル、線量率、および／または警告を知らせる可聴警報である。あるいは、可聴信号は、表示器組立体３００および／または監視システム１００が本明細書に説明されるように機能するのを可能にするあらゆるタイプの可聴信号でよい。
【００４３】
この例示的実施形態では、表示器組立体３００を着用しているユーザが、動作中に配管システム１０２（図１に示される）に近づくと、配管システム１０２から放射が放出されれば、距離１０８（図１に示される）内にこのような放射が検出されることになる。各センサ１１２（図１に示される）が、このタイプ放射を検出することにより、また放射の線量レベルを検出することにより、放射の存在を検出する。この放射データは、通信用インターフェース１１６へ伝送される。
【００４４】
そのうえ、この例示的実施形態では、放射データが表示器組立体３００に伝送される。より具体的には、放射データは、通信用インターフェース３０２によって受け取られる。通信用インターフェース３０２が受信器３０６に放射データを伝送し、受信器３０６は、データが記憶されるように、データをプロセッサ３１０およびメモリデバイス３１４へ伝送する。プロセッサ３１０は、通信用インターフェース３０２が継続的に受け取る放射データに基づいて、複数の画像を連続的に生成する。より具体的には、プロセッサ３１０は、検出された放射の線量レベルおよび／または線量率ならびに所定の閾値に到達するまでの残り時間の図的表現を含む画像を生成する。線量レベルおよび／または線量率が、プロセッサ３１０にプログラムされた所定の閾値を超過すると、プロセッサ３１０は、テキスト形式の警告を含む画像を生成する。
【００４５】
表示媒体３１８は、ユーザによるユーザインターフェース３３０への入力に基づいて、ユーザに対して連続的に情報を表示する。より具体的には、ユーザは、情報を視覚的出力および／または音声出力で示すかどうか入力することができる。ユーザが情報を視覚的出力によって受け取ることを選択すると、プロセッサ３１０は、表示媒体３１８に複数の画像を連続的に伝送する。次いで、ユーザは、工業用設備内部の放射の様々なパラメータを視覚的に確認することができる。より具体的には、ユーザは、検出された放射の線量レベルおよび／または線量率ならびに線量レベルおよび／または線量率の所定の閾値に到達するまでの残り時間の図的表現を含む画像を与えられることになる。そのうえ、線量レベルおよび／または線量率が所定の閾値を超過すると、ユーザは、テキスト形式の警告を含む画像を見ることになる。ユーザが工業用設備内部のある位置のまわりを移動する間、パラメータのそれぞれが変化するので、これらの画像は変化し続けることになる。
【００４６】
ユーザが音声出力によってさらなる情報を受け取ることを選択すると、放射の線量レベルおよび／または線量率が所定の閾値を超過したとき、プロセッサ３１０は音声出力デバイス３４８に音声出力を伝送する。音声出力デバイス３４８は、受け取った出力に基づいて可聴信号を生成する。より具体的には、音声出力デバイス３４８は、放射の線量レベルおよび／または線量率が所定の閾値を超過したことに基づいて可聴信号を生成する。次いで、音声出力デバイス３４８は、ユーザに可聴信号を伝送する。
【００４７】
図４は、表示器組立体１１８（図１および図２に示される）などの表示器組立体を使用して放射を監視するのに使用される例示的方法４００を示す流れ図である。あるいは、方法４００は、表示器組立体３００（図３に示される）を使用してもよい。この例示的実施形態では、表示器組立体１１８は、４０２で、ユーザ（図示せず）の身体（図示せず）など、ユーザに接して配置される。より具体的には、表示器組立体１１８は、ユーザと一緒に移動可能であって、ユーザが所在地のまわりを移動しながら連続的に所在地の内部の放射を監視することができるように、ユーザに接して配置される。４０４で、検出された放射の線量レベルおよび／または線量率を示す放射データが、通信用インターフェース２０２（図２に示される）によって受信される。４０６で、プロセッサ２１０（図２に示される）は、放射データに基づいて少なくとも１つの画像を連続的に生成する。より具体的には、この例示的実施形態では、画像は、検出された放射の線量レベルならびに線量レベルおよび／または線量率の所定の閾値に到達するまでの残り時間の図的表現を含む。そのうえ、線量レベルおよび／または線量率が、プロセッサ２１０にプログラムされた所定の閾値を超過すると、テキスト形式の警告を含む画像も生成される。ユーザが所在置のまわりを移動する間、パラメータのそれぞれが変化するので、これらの画像は変化し続けることになる。
【００４８】
４０８で、表示媒体２１８（図２に示される）は、ユーザに対して画像を示す。そのうえ、この例示的実施形態では、４１０で、音声出力デバイス２４８（図２に示される）は、放射の線量レベルが所定の閾値を超過したことに基づいて可聴信号を生成する。４１２で、可聴信号がユーザに伝送される。
【００４９】
方法およびシステムの前述の実施形態は、放射を監視するのに使用される既知のシステムおよび方法と比較して、工業用設備の内部の放射に関連して生じる危険性に対してユーザがより迅速に反応することを可能にする、放射を監視するための使いやすいシステムを提供する。具体的には、本明細書に説明される実施形態は、表示器組立体を含む監視システムを提供する。表示器組立体は、放射の線量レベルおよび放射の線量率のうち少なくとも１つを示す放射データを受け取るように構成された通信用インターフェースを含む。そのうえ、表示器組立体は、通信用インターフェースに結合されたプロセッサも含み、プロセッサは、放射データに基づいて少なくとも１つの画像を生成するようにプログラムされる。表示器組立体は、プロセッサに結合された表示媒体も含み、表示媒体は、ユーザに対してリアルタイムで画像を表示するように構成される。表示器組立体は、ユーザと一緒に移動可能であって、ユーザが所在地のまわりを移動しながら連続的に所在地の内部の放射を監視することができるように、ユーザに接して配置される。そのため、本明細書に開示される監視システムによって、ユーザは、ハンズフリーで放射を監視することができ、かつ／または、軽量で、設備のまわりを運搬するのに便利な、手持ち式のセンサによって直接表示を得ることができる。
【００５０】
本明細書で説明されるシステムおよび方法の技術的効果には、（ａ）表示器組立体を、ユーザと一緒に移動可能であって、ユーザが所在地のまわりを移動しながら連続的に所在地の内部の放射を監視することができるように、ユーザに接して配置するステップと、（ｂ）放射の線量レベルおよび放射の線量率のうち少なくとも１つを示す放射データを受け取るステップと、（ｃ）放射データに基づいて少なくとも１つの画像を生成するステップと、表示媒体によって少なくとも１つの画像をユーザにリアルタイムで示すステップとのうち少なくとも１つが含まれる。
【００５１】
放射を監視するのに使用されるシステムおよび方法の例示的実施形態が、上記で詳細に説明されている。このシステムおよび方法は、本明細書で説明された特有の実施形態に限定されるものではなく、むしろ、システムの構成要素および／または方法のステップは、本明細書で説明された他の構成要素および／またはステップから独立して別個に利用されてよい。例えば、このシステムは、他のシステムおよび方法と組み合わせて使用されてもよく、本明細書に説明されたようなシステムを実施することだけに限定されるものではない。むしろ、この例示的実施形態は、他の多くの用途に関連して実施し、かつ利用することができる。
【００５２】
本発明の様々な実施形態の特定の特徴が、いくつかの図面で示されて他の図面では示されないこともあるが、これは便宜上の理由のみによるものである。本発明の原理によれば、図面のあらゆる特徴が、その他の図面のあらゆる特徴と組み合わせて参照され、かつ／または特許請求され得る。
【００５３】
この書かれた説明は、最善の様式を含めて本発明を開示するために、また、あらゆる当業者が、あらゆるデバイスまたはシステムを製作し使用することならびにあらゆる具体化された方法を実行することを含めて本発明を実施することも可能にするために、実施例を用いる。本発明が特許権を受けられる範囲は、特許請求の範囲によって規定され、当業者に想起される他の実施例を含み得る。そのような他の実施例は、それらが特許請求の範囲の文字どおりの言葉と異ならない構造要素を有する場合、またはそれらが特許請求の範囲の文字どおりの言葉との実質のない相違点を有する同等な構造要素を含む場合には、特許請求の範囲に入るように意図されている。
【符号の説明】
【００５４】
１００  監視システム
１０２  配管システム
１０６  センサ組立体
１０８  距離
１１２  センサ
１１６  通信用インターフェース
１１８  表示器組立体
１２２  ネットワーク
２０１  バッテリー
２０２  通信用インターフェース
２０６  受信器
２１０  プロセッサ
２１４  メモリデバイス
２１８  表示媒体
２２０  ディスプレイアダプタ
２２３  スクリーン
２２４  レンズ
２３０  ユーザインターフェース
２３４  タッチパネル
２４０  音声入力インターフェース
２４４  マイクロホン
２４８  音声出力デバイス
３００  表示器組立体
３０１  バッテリー
３０２  通信用インターフェース
３０６  受信器
３１０  プロセッサ
３１４  メモリデバイス
３１８  表示媒体
３２０  ディスプレイアダプタ
３２４  スクリーン
３３０  ユーザインターフェース
３３４  キーボード
３４０  音声入力インターフェース
３４４  マイクロホン
３４８  音声出力デバイス
【図１】
2012225918.tif 000003
【図２】
2012225918.tif 000004
【図３】
2012225918.tif 000005
【図４】
2012225918.tif 000006
【外国語明細書】
2012225918000001.pdf